(57)【要約】【課題】  ゲーム機を管理する作業を軽減することができ、大当たりの発生後にあっても継続してゲームを行うことができるプッシャゲーム機を提供する。【解決手段】  プッシャゲーム機は、段差部８０ｂを有して鉛直軸周りに螺旋状に１周した上縁カム部８０ａを有する支持体８０と、支持体８０に鉛直軸周りに旋回可能かつ鉛直軸方向に上下移動自由に支持された作業体８１とを備えている。作業体８１の先端部８１ａが受動的に移動させられてプッシャテーブル７の端縁７０ａから落下するとき、これにともなって降下する作業体８１の従動アーム部８１ｂが高位置部分以外の部位に接することができるように段差部８０ｂの鉛直軸周りの位置が設定されている。作業体８１は、プッシャテーブル７から先端部８１ａが落下した後、従動アーム部８１ｂが上縁カム部８０ａに接しながら高位置部分へと移動するように回転させられる。【選択図】  図３
2006334277.tif 000002
【特許請求の範囲】
【請求項１】
プッシャテーブルを用いたプッシャゲーム機に備えられ、ゲーム状況に応じて所定の大当たりを発生させるための大当たり発生装置であって、
上記プッシャテーブルの近傍において鉛直軸周りに旋回可能かつ鉛直軸方向に上下移動自由に支持されており、上記プッシャテーブル上に部分的に載った状態で受動的に移動させられる下向きの先端部をもつ作業体と、
上記プッシャテーブルからの上記先端部の落下にともなう上記作業体の降下状態を検出して上記所定の大当たりのトリガ信号を発生させる作業体降下検出手段と、
上記作業体の降下状態の検出後、上記先端部が再び上記プッシャテーブル上に載るように上記作業体を旋回させる作業体旋回手段と、
上記作業体が旋回させられる際、上記先端部が上記プッシャテーブル上まで持ち上げられるように上記作業体を上昇させる作業体上昇手段と、
を備えていることを特徴とする、大当たり発生装置。
【請求項２】
上記作業体上昇手段は、上記プッシャテーブルの近傍で上記作業体を支持するように配置され、概して低位置部分と高位置部分とが段差部でつなげられて鉛直軸周りに螺旋状に１周した上縁カム部を有する支持体からなり、
上記作業体には、上記上縁カム部を半径方向に横断して上記先端部に繋がる従動アーム部が設けられており、
上記上縁カム部は、上記作業体の先端部が受動的に移動させられて上記プッシャテーブルの端縁から落下するとき、これにともなって降下する上記作業体の上記従動アーム部が上記高位置部分以外の部位に接することができるように上記段差部の鉛直軸周りの位置が設定されており、上記作業体は、上記従動アーム部が上記上縁カム部に接しながら上記高位置部分へと移動するように旋回させられる、請求項１に記載の大当たり発生装置。
【請求項３】
上記作業体が旋回するときの上記先端部の平面的な軌跡は、上記プッシャテーブルの側部からこのプッシャテーブル上を移動し、このプッシャテーブルの前端部から離脱するものである、請求項１または２に記載の大当たり発生装置。
【請求項４】
上記作業体の上記先端部には、錘が設けられている、請求項１ないし３のいずれかに記載の大当たり発生装置。
【請求項５】
上記作業体は、上記支持体に鉛直軸周りに軸転可能で鉛直軸にそって上下移動自由に支持された基端軸部と、この基端軸部の上端から外方に折れ曲がって延びる上記従動アーム部と、この従動アーム部から下向きに折れ曲がって延びる上記先端部とを備えた、略逆Ｕ字状のロッド部材によって形成されている、請求項２に記載の大当たり発生装置。
【請求項６】
上記作業体降下検出手段は、上記作業体の上記基端軸部の鉛直軸方向の位置を検出するように上記支持体の内部に組み込まれている、請求項５に記載の大当たり発生装置。
【請求項７】
上記作業体旋回手段は、上記支持体の内部で鉛直軸周りに旋回駆動され、上方に延びて上記作業体の従動アーム部に当接する棒状部材を有して構成されている、請求項２に記載の大当たり発生装置。
【請求項８】
上記作業体旋回手段は、上記支持体の内部で鉛直軸周りに回転可能に支持され、かつモータに取り付けたピニオンにかみ合って回転駆動されるギアと、このギアの上面に上方に向けて延びるように取り付けられた上記棒状部材を有して構成されている、請求項７に記載の大当たり発生装置。
【請求項９】
上記作業体旋回手段はさらに、上記作業体の上記先端部が上記プッシャテーブル上の所定位置に到達したことを検出し、上記棒状部材の旋回駆動を停止するための回転停止位置検出センサを備えている、請求項７または８に記載の大当たり発生装置。
【請求項１０】
上記プッシャテーブルの上方に多数の景品を保持することができる電動式の景品保持部を備え、この景品保持部は、上記所定の大当たりが発生したとき、多数の景品を落下させるように構成されている、請求項１ないし９のいずれかに記載の大当たり発生装置。
【請求項１１】
プッシャテーブルと、ゲーム状況に応じて所定の大当たりを発生させるための大当たり発生装置とを備えたプッシャゲーム機であって、
上記大当たり発生装置は、請求項１ないし１０のいずれかに記載のものであることを特徴とする、プッシャゲーム機。
【発明の詳細な説明】
【技術分野】
【０００１】
本願発明は、プッシャテーブルを用いたプッシャゲーム機において所定の大当たりを発生させるための大当たり発生装置、およびこの大当たり発生装置を備えたプッシャゲーム機に関する。
【背景技術】
【０００２】
いわゆるプッシャゲーム機としては、たとえば特許文献１に開示されたものがある。同文献に開示されたプッシャゲーム機では、一挙に多数個の景品を獲得できる大当たり（ジャックポット）のチャンスを与え、ゲームの興趣をより高める工夫がなされている。すなわち、プッシャテーブルの上方には、外力によって揺動可能な上部開放状の景品貯留容器が配置されており、この景品貯留容器には、プッシャテーブル上に置かれた錘部材が索体を介して連結されている。
【０００３】
プレイヤは、クレーン機構（すくい取り機構）により景品配置エリア（回転テーブル）上の景品をすくい取ってプッシャテーブル上に置くといった操作を繰り返す。プッシャテーブル上においては、後から押された景品により、先に押された景品がさらに前方へと前進させられ、その景品が上記錘部材を押すような状態が期待される。このような操作を繰り返していると、そのうちに錘部材がプッシャテーブルの前端から落下する。錘部材が落下すると、それによって索体が下方に引っ張られ、その結果、景品貯留容器が傾く。これにより、景品貯留容器内に収容されていた多数の景品が落下し、落下した景品は、払い出し口からプレイヤに払い出される。
【０００４】
【特許文献１】特開２００１−２９６４４号公報
【発明の開示】
【発明が解決しようとする課題】
【０００５】
しかしながら、上記従来のプッシャゲーム機では、大当たりによって多数の景品が払い出された後、プッシャテーブルから落下した錘部材がそのままの状態ではプッシャテーブル上における景品の落下の支障となり、継続してゲームを行うことが困難になる。そのため、ゲーム機を管理する者などは、大当たりの発生ごとに落下した錘部材をプッシャテーブル上に戻すといった面倒な作業を行わなければならなかった。
【０００６】
本願発明は、上記した事情のもとで考え出されたものであって、ゲーム機を管理する作業を軽減することができ、大当たりの発生後にあっても継続してゲームを行うことができる大当たり発生装置およびプッシャゲーム機を提供することを課題としている。
【課題を解決するための手段】
【０００７】
上記課題を解決するため、本願発明では、次の技術的手段を講じている。
【０００８】
本願発明の第１の側面によって提供される大当たり発生装置は、プッシャテーブルを用いたプッシャゲーム機に備えられ、ゲーム状況に応じて所定の大当たりを発生させるための大当たり発生装置であって、上記プッシャテーブルの近傍において鉛直軸周りに旋回可能かつ鉛直軸方向に上下移動自由に支持されており、上記プッシャテーブル上に部分的に載った状態で受動的に移動させられる下向きの先端部をもつ作業体と、上記プッシャテーブルからの上記先端部の落下にともなう上記作業体の降下状態を検出して上記所定の大当たりのトリガ信号を発生させる作業体降下検出手段と、上記作業体の降下状態の検出後、上記先端部が再び上記プッシャテーブル上に載るように上記作業体を旋回させる作業体旋回手段と、上記作業体が旋回させられる際、上記先端部が上記プッシャテーブル上まで持ち上げられるように上記作業体を上昇させる作業体上昇手段と、を備えていることを特徴としている。
【０００９】
このような構成によれば、作業体の先端部がプッシャテーブルの端縁から落下して大当たりが発生した後、作業体が上昇しながら旋回させられることにより、自動的に作業体の先端部がプッシャテーブル上に再配置される。したがって、大当たりの発生ごとに落下した作業体の先端部をプッシャテーブル上に戻すといった作業を行う必要はなく、これによりゲーム機を管理する作業を軽減することができ、大当たりの発生後にあっても何ら支障なくゲームを継続して行うことができる。
【００１０】
好ましい実施の形態としては、上記作業体上昇手段は、上記プッシャテーブルの近傍で上記作業体を支持するように配置され、概して低位置部分と高位置部分とが段差部でつなげられて鉛直軸周りに螺旋状に１周した上縁カム部を有する支持体からなり、上記作業体には、上記上縁カム部を半径方向に横断して上記先端部に繋がる従動アーム部が設けられており、上記上縁カム部は、上記作業体の先端部が受動的に移動させられて上記プッシャテーブルの端縁から落下するとき、これにともなって降下する上記作業体の上記従動アーム部が上記高位置部分以外の部位に接することができるように上記段差部の鉛直軸周りの位置が設定されており、上記作業体は、上記従動アーム部が上記上縁カム部に接しながら上記高位置部分へと移動するように旋回させられる。
【００１１】
このような構成によれば、作業体が旋回する際、作業体の従動アーム部が支持体の上縁カム部に沿って徐々に上方へと移動させられるため、作業体に旋回力を与えるだけで自ずと作業体を上昇させることができる。
【００１２】
他の好ましい実施の形態としては、上記作業体が旋回するときの上記先端部の平面的な軌跡は、上記プッシャテーブルの側部からこのプッシャテーブル上を移動し、このプッシャテーブルの前端部から離脱するものである。
【００１３】
このような構成によれば、プッシャテーブル上においては、作業体の先端部が受動的にスムーズに移動するものとされ、プッシャテーブルの前端部から落下した後にあっては、作業体の先端部をプッシャテーブルの外側を回ってスムーズに移動させることができる。
【００１４】
他の好ましい実施の形態としては、上記作業体の上記先端部には、錘が設けられている。
【００１５】
このような構成によれば、作業体の重心が先端部の方に片寄るため、当該作業体の先端部をプッシャテーブル上から確実に落下させることができる。
【００１６】
他の好ましい実施の形態としては、上記作業体は、上記支持体に鉛直軸周りに軸転可能で鉛直軸にそって上下移動自由に支持された基端軸部と、この基端軸部の上端から外方に折れ曲がって延びる上記従動アーム部と、この従動アーム部から下向きに折れ曲がって延びる上記先端部とを備えた、略逆Ｕ字状のロッド部材によって形成されている。
【００１７】
このような構成によれば、作業体の先端部がプッシャテーブル上から落下すると、従動アーム部が上縁カム部の段差を降下して比較的低位置部分に接した状態になり、それにともなって基端軸部も降下した状態となる。
【００１８】
他の好ましい実施の形態としては、上記作業体降下検出手段は、上記作業体の上記基端軸部の鉛直軸方向の位置を検出するように上記支持体の内部に組み込まれている。
【００１９】
このような構成によれば、作業体の先端部がプッシャテーブル上から落下した際、それにともなって降下した作業体の基端軸部を検出することで確実に大当たりのトリガ信号を発生させることができる。
【００２０】
他の好ましい実施の形態としては、上記作業体旋回手段は、上記支持体の内部で鉛直軸周りに旋回駆動され、上方に延びて上記作業体の従動アーム部に当接する棒状部材を有して構成されている。
【００２１】
他の好ましい実施の形態としては、上記作業体旋回手段は、上記支持体の内部で鉛直軸周りに回転可能に支持され、かつモータに取り付けたピニオンにかみ合って回転駆動されるギアと、このギアの上面に上方に向けて延びるように取り付けられた上記棒状部材を有して構成されている。
【００２２】
このような構成によれば、プッシャテーブル上に作業体の先端部が位置するときには、作業体の従動アーム部が棒状部材と当接しない方向に旋回できる一方、プッシャテーブル上から落下した作業体の先端部をプッシャテーブル上に再配置させる際には、棒状部材を鉛直軸周りに回転させることにより、作業体の先端部を徐々に上昇させながらプッシャテーブルの前端部から側部へと移動させることができる。
【００２３】
他の好ましい実施の形態としては、上記作業体旋回手段はさらに、上記作業体の上記先端部が上記プッシャテーブル上の所定位置に到達したことを検出し、上記棒状部材の旋回駆動を停止するための回転停止位置検出センサを備えている。
【００２４】
このような構成によれば、作業体の先端部がプッシャテーブル上の所定位置に到達するごとに移動停止させられるため、プッシャテーブル上の常に同一位置に作業体の先端部を再配置することができる。
【００２５】
他の好ましい実施の形態としては、上記プッシャテーブルの上方に多数の景品を保持することができる電動式の景品保持部を備え、この景品保持部は、上記所定の大当たりが発生したとき、多数の景品を落下させるように構成されている。
【００２６】
このような構成によれば、たとえば作業体の先端部がプッシャテーブル上から落下した場合に大当たりを発生させるものとすると、そのような大当たりの発生に応じて多数の景品を払い出すことができる。
【００２７】
本願発明の第２の側面によって提供されるプッシャゲーム機は、プッシャテーブルと、ゲーム状況に応じて所定の大当たりを発生させるための大当たり発生装置とを備えたプッシャゲーム機であって、上記大当たり発生装置は、上記第１の側面に係るものであることを特徴とする。
【００２８】
このような構成によれば、上記第１の側面によるものと同様の効果をもつプッシャゲーム機を実現することができる。
【００２９】
本願発明のその他の特徴および利点は、添付図面を参照して以下に行う詳細な説明によって、より明らかとなろう。
【発明を実施するための最良の形態】
【００３０】
以下、本願発明の好ましい実施の形態について、図面を参照して具体的に説明する。図１〜４は、本願発明に係るプッシャゲーム機の一実施形態を示している。
【００３１】
図１に示されているように、本実施形態のプッシャゲーム機は、本体部１、側面パネル２、および天蓋部３によって囲まれた遊技空間を利用し、複数のプレイヤが同時にプッシャゲームを行うことが可能なものである。上記遊技空間には、環状の景品配置エリア４、この景品配置エリア４の外側に位置する複数の景品落下口５、景品配置エリア４から景品落下口５へと景品を移動させるためのクレーン機構６およびプッシャテーブル７、一挙に多数個の景品を獲得できるといった大当たり（ジャックポット）を発生させるためのギミック機構８および景品保持器９、ならびにミニゲームとしてボールを用いた抽選ゲームを行うための抽選装置１０が設けられている。なお、本願発明に係る大当たり発生装置は、ギミック機構８および景品保持器９によって構成される。
【００３２】
本体部１の外周面部には、景品落下口５の位置に対応して複数の操作パネル部１Ａが等間隔で設けられており、これらの操作パネル部１Ａと同数の複数人が同時にプッシャゲームを行なうことができる。各操作パネル部１Ａには、クレーン機構６の操作などを行うためのボタン１１やコイン投入口１２が設けられている。操作パネル部１Ａの下方には、景品落下口５に落ちた景品を払い出すための景品払出口１３が設けられている。
【００３３】
図２によく示されているように、景品配置エリア４には、多数の景品Ｐが載せられており、この景品配置エリア４は、常に一定の方向に回転している。クレーン機構６は、プレイヤのボタン操作に応じて景品配置エリア４にある景品Ｐをすくうように取り上げ、さらに当該景品Ｐをプッシャテーブル７上に移動させるものである。プッシャテーブル７は、クレーン機構６によって載せられた景品Ｐを景品落下口５へと落とすものであり、下段に固定された固定テーブル７０と、この固定テーブル７０上において常に往復動作する可動テーブル７１とを有して構成されている。
【００３４】
固定テーブル７０上には、景品落下口５に隣接して可動テーブル７１と重なることがない露出スペース７０Ａが設けられている。可動テーブル７１から露出スペース７０Ａに落ちた景品Ｐは、当該可動テーブル７１の先端によって景品落下口５に向けて押し出され、さらにその景品Ｐが露出スペース７０Ａに堆積した景品Ｐを具合よく押し出すことにより、１あるいは２以上の景品Ｐが固定テーブル７０の前端部７０ａから景品落下口５に落ちる。景品落下口５に落ちた景品Ｐは、案内通路１４を通って景品払出口１３へと導かれ、景品払出口１３から景品Ｐが払い出される。
【００３５】
図３および図４によく示されているように、ギミック機構８は、固定テーブル７０の前端部７０ａ寄りで一方の側部７０ｂの近傍に設置された支持体８０、この支持体８０の内部から外部へと略逆Ｕ字状に延びる作業体８１、作業体８１が降下した状態を検出するための作業体降下検出センサ８２、作業体８１を鉛直軸周りに回転させるための棒状部材８３、ならびに棒状部材８３を鉛直軸周りに回転させるためのギア８４、モータ８６、回転停止位置検出センサ８７を有して構成されている。
【００３６】
支持体８０は、略円筒状に形成されたものであって、その上部には、概して低位置部分と高位置部分とが段差部８０ｂでつなげられて鉛直軸周りに螺旋状に１周した上縁カム部８０ａが形成されている。段差部８０ｂの下側には、最も低い低位置部分が形成されている一方、段差部８０ｂの上側には、最も高い高位置部分よりも若干低くなった中間位置部分８０ｃが形成されている。プッシャテーブル７の上方から見た場合、段差部８０ｂは、概ね固定テーブル７０の前端部７０ａと対応する位置に設定されており、中間位置部分８０ｃは、固定テーブル７０の露出スペース７０Ａと対応する位置に設定されている。支持体８０の内部には、作業体降下検出センサ８２、シャフト８３、ギア８４、モータ８６、回転停止位置検出センサ８７が組み込まれている。作業体降下検出センサ８２、ギア８４、モータ８６、回転停止位置検出センサ８７は、ブラケットなどを介して支持体８０の内部に固定されており、ギア８４は、モータ８６の軸に固定されたピニオン８５に噛み合わされている。
【００３７】
作業体８１は、略逆Ｕ字状のロッド部材によって形成されたものであり、支持体８０の外部に位置して錘８８が付けられた先端部８１ａ、支持体８０の上縁カム部８０ａに接する従動アーム部８１ｂ、および支持体８０の内部に挿入された基端軸部８１ｃを有している。作業体８１の基端軸部８１ｃは、ギア８４の中心に開けられた孔（図示略）に緩やかに挿入された状態で軸支されている。これにより、作業体８１は、従動アーム部８１ｂが上縁カム部８０ａに接しながら基端軸部８１ｃを中心として鉛直軸周りに旋回可能で、しかも鉛直軸方向に上下移動自由となっている。このような作業体８１の先端部８１ａは、旋回に伴う平面的な移動軌跡として、固定テーブル７０の側部７０ｂから露出スペース７０Ａを通ってその前端部７０ａで離脱するような軌跡（図３に示す破線）に沿って移動し、さらにプッシャテーブル７の外側を大きく回って固定テーブル７０の側部７０ｂへと円弧状の軌跡（図３に示す一点鎖線）に沿って移動するようになっている。
【００３８】
具体的には、作業体８１の先端部８１ａが露出スペース７０Ａに位置する場合、当該先端部８１ａは、露出スペース７０Ａに堆積した景品Ｐとともに固定テーブル７０の前端部７０ａの方へと押し出されることで受動的に移動させられる。こうして受動的に移動させられることにより、作業体８１の先端部８１ａは、固定テーブル７０の前端部７０ａから落下する。その際、作業体８１の従動アーム部８１ｂが上縁カム部８０ａにおける段差部８０ｂを越えて低位置部分に降りた状態となり、作業体８１全体が降下した状態となる。このとき、作業体８１の基端軸部８１ｃも降下した状態となり、この基端軸部８１ｃの下端が作業体降下検出センサ８２によって検出される。このような作業体８１の降下状態は、後述する大当たりを発生させるためのトリガとして検出され、作業体降下検出センサ８２からは、大当たりのトリガ信号が出力される。作業体８１の先端部８１ａには、錘８８が付けられており、作業体８１の重心が先端部８１ａの方に片寄っているため、作業体８１の先端部８１ａが確実に落下するようになっている。また、錘８８は、景品Ｐよりも重いため、この錘８８が付いた先端部８１ａを落下させるのは景品Ｐを落下させるよりも難しくなっている。
【００３９】
作業体８１の先端部８１ａが落下した後、モータ８６が作動させられることでギア８４が回転し、それに応じてギア８４に固定された棒状部材８３が所定の方向に回転する。棒状部材８３は、支持体８０の内部から上方に向けて突き出た姿勢にあり、作業体８１の従動アーム部８１ｂに対して側方から当接する。すなわち、棒状部材８３が回転すると、この棒状部材８３によって従動アーム部８１ｂが押される状態となり、当該従動アーム部８１ｂが上縁カム部８０ａの螺旋状に形成された部分を滑りながら次第に上昇する。これにより、作業体８１の先端部８１ａがプッシャテーブル７の外側を回って強制的に移動させられる。
【００４０】
ギア８４の適部には、回転停止位置を検出するための検出用ドグ８４ａが固定されており、この検出用ドグ８４ａが回転停止位置検出センサ８７によって検出されると、モータ８６の作動が停止するとともにギア８４の回転が停止する。これにより、棒状部材８３が従動アーム部８１ｂを押す状態が解除され、作業体８１の旋回動作が停止させられる。このとき、従動アーム部８１ｂは、上縁カム部８０ａにおける最も高い高位置部分を降りて中間位置部分８０ｃに入った状態となり、作業体８１の先端部８１ａは、固定テーブル７０の側部７０ｂを経て露出スペース７０Ａの所定位置に到達した状態となる。ただし、このときには、従動アーム部８１ｂが中間位置部分８０ｃより若干浮いた状態にある一方、作業体８１の先端部８１ａは、露出スペース７０Ａに直接載った状態にあり、当該先端部８１ａが受動的に移動可能な状態とされる。この先端部８１ａが露出スペース７０Ａにおいて移動する方向は、回転停止位置にある棒状部材８３から離れる方向になるため、作業体８１が棒状部材８３に妨げられることなく受動的に旋回させられる。すなわち、作業体８１の先端部８１ａは、固定テーブル７０の前端部７０ａより落下した後、固定テーブル７０上の常に同じ所定位置に自動的に再配置される。
【００４１】
本実施形態では、作業体８１の先端部８１ａが固定テーブル７０の前端部７０ａから落下すると、抽選装置１０によるミニゲームが実行され、さらにミニゲームで入賞することにより大当たりが発生する。すなわち、大当たりの発生時には、景品保持器９がプッシャテーブル７や景品落下口５の近くまで降下し、さらに景品保持器９が傾けられることにより、当該景品保持器９に入っていた多数の景品がプッシャテーブル７や景品落下口５に落ちる。このような景品保持器９は、図示しない回転手段を介して天蓋部３に支持されており、大当たりの際には、景品が入った景品保持器９が大当たりに該当する操作パネル部１Ａの位置まで回転移動するようになっている。これにより、ゲーム機を管理する者などは、全ての景品保持器９から景品がなくなるまで景品保持器９に景品を補充する必要はない。
【００４２】
次に、上記プッシャゲーム機の動作について説明する。
【００４３】
通常、ゲームを行う際には、作業体８１の先端部８１ａが固定テーブル７０の露出スペース７０Ａに位置している。クレーン機構６などによって露出スペース７０Ａに景品Ｐが移動させられると、作業体８１の先端部８１ａは、堆積した景品Ｐとともに可動テーブル７１によって前方へと押し出されるようになり、固定テーブル７０の前端部７０ａの方へと受動的に移動させられる。
【００４４】
このようにして繰り返しゲームを行っているうち、作業体８１の先端部８１ａは、やがて固定テーブル７０の前端部７０ａから落下する。このとき、作業体８１の従動アーム部８１ｂが上縁カム部８０ａにおける段差部８０ｂを越えて低位置部分に降りた状態となり、それに伴い基端軸部８１ｃの下端が作業体降下検出センサ８２によって検出される。これにより、抽選装置１０によるミニゲームが実行される。さらにミニゲームで入賞すると、最終的に大当たりが発生させられ、景品保持器９に入っていた多数の景品が払い出される。なお、大当たりについては、作業体の先端部が落下した時点で発生させるようにしてもよい。
【００４５】
その後、固定テーブル７０の前端部７０ａから落下した状態にある作業体８１の先端部８１ａは、棒状部材８３が回転するのにともないプッシャテーブル７の外側を回り込むようにして強制的に移動させられる。このとき、作業体８１の従動アーム部８１ｂが上縁カム部８０ａの螺旋状部分に接しながら旋回するため、作業体８１の先端部８１ａは、落下した位置より次第に上昇しながら固定テーブル７０の側部７０ｂへと移動する。
【００４６】
さらに作業体８１の先端部８１ａは、固定テーブル７０の側部７０ｂから露出スペース７０Ａに入った所定位置までくると、棒状部材８３の回転が停止することで露出スペース７０Ａに再配置された状態となる。もちろん、大当たりに外れた場合においても、上記のような動作が行われることで作業体８１の先端部８１ａが露出スペース７０Ａに自動的に再配置される。なお、作業体８１の先端部８１ａが固定テーブル７０の側部７０ｂを通過する際には、従動アーム部８１ｂが上縁カム部８０ａにおける高位置部分にあるため、当該先端部８１ａが固定テーブル７０の側部７０ｂに掛かって止まってしまうといったことや、露出スペース７０Ａ上に載置された景品Ｐを先端部８１ａが押し出すようにして無条件に景品Ｐを払い出してしまうといったことはない。
【００４７】
したがって、本実施形態に係るプッシャゲーム機によれば、作業体８１の先端部８１ａがプッシャテーブル７から落下することで大当たりが発生した後にあっても、当該作業体８１の先端部８１ａがプッシャテーブル７上に自動的に再配置されるため、大当たりの発生ごとに作業体８１の先端部８１ａをプッシャテーブル７上に戻すといった作業を行う必要はなく、これによりゲーム機を管理する作業を軽減することができ、大当たりの発生後にあっても何ら支障なくゲームを継続して行うことができる。
【００４８】
なお、本願発明は、上記の実施形態に限定されるものではない。他の実施形態としては、本願の趣旨を逸脱しない限り種々の設計変更が可能である。
【００４９】
たとえば、支持体の上縁カム部としては、作業体の先端部が落下した瞬間に従動アーム部が比較的低位置部分に降りることが可能な螺旋状であればよく、段差部の平面的位置としては、少なくとも固定テーブルの露出スペースに対応する位置にあればよい。
【００５０】
大当たり発生装置の他の実施形態としては、図５に示されるようなものでもよい。同図に示す大当たり発生装置では、作業体８１の先端部８１ａがプッシャテーブル７から落ちて降下した状態になった後、この作業体８１の基端軸部８１ｃがカム９０によって迫り上げられるように構成されている。このような構成では、作業体８１が鉛直軸周りに旋回させられる際、カム９０によって強制的に上昇させられ、作業体８１の先端部８１ａがプッシャテーブル７上に位置した状態になると、基端軸部８１ｃと接しないようにカム９０が動作する。このような構成によっても、作業体８１の先端部８１ａをプッシャテーブル７上に自動的に再配置することができる。もちろん、作業体を強制的に上昇させるための手段としては、カム９０以外の機構を採用してもよい。
【図面の簡単な説明】
【００５１】
【図１】本願発明に係るプッシャゲーム機の一実施形態を示す全体斜視図である。
【図２】図１に示すプッシャゲーム機の要部斜視図である。
【図３】図１に示すプッシャゲーム機の要部拡大斜視図である。
【図４】図２および図３に示す大当たり発生装置の要部断面図である。
【図５】大当たり発生装置の他の実施形態を示す要部断面図である。
【符号の説明】
【００５２】
７      プッシャテーブル
７０ａ  前端部
７０ｂ  側部
８０ａ  上縁カム部
８０ｂ  段差部
８０    支持体
８１    作業体
８１ａ  先端部
８１ｂ  従動アーム部
８１ｃ  基端軸部
８２    作業体降下検出センサ（作業体降下検出手段）
８３    棒状部材
８４    ギア
８６    モータ
８７    回転停止位置検出センサ
８８    錘
９      景品保持器
【図１】
2006334277.tif 000003
【図２】
2006334277.tif 000004
【図３】
2006334277.tif 000005
【図４】
2006334277.tif 000006
【図５】
2006334277.tif 000007